(57)【要約】  目隠しカバーに対して横方向から過大な力が加わってもアームの変形を防止することができるヒンジを提案する。  本発明のヒンジにおいて、目隠しカバー（１８）は、第一ベースフレーム（１）及び第二ベースフレーム（２）の少なくとも一方の表面に被さる基部壁（１８ａ）と、基部壁（１８ａ）の外縁部に設けられるとともに先端部に係合部（１８ｄ）を備えるアーム（１８ｃ）と、基部壁（１８ａ）の外縁部に設けられる側壁（１８ｂ）とを有し、第一ベースフレーム（１）及び第二ベースフレーム（２）の少なくとも一方は、係合部（１８ｄ）に係合して目隠しカバー（１８）を保持する係合受け部（１ｂ、２ｂ）と、目隠しカバー（１８）を保持した状態において側壁（１８ｂ）が嵌まる段差部（１ｃ、２ｃ）とを有する。
2019163342.tif 000002
【特許請求の範囲】
【請求項１】
扉及び枠の何れか一方に取り付け可能な第一ベースフレームと、
前記扉及び前記枠の何れか他方に取り付け可能な第二ベースフレームと、
前記第一ベースフレームと前記第二ベースフレームとを回転可能に連結するヒンジ機構部と、
前記第一ベースフレーム及び前記第二ベースフレームの少なくとも一方に装着される目隠しカバーと、を備えるヒンジであって、
前記目隠しカバーは、前記第一ベースフレーム及び前記第二ベースフレームの少なくとも一方の表面に被さる基部壁と、該基部壁の外縁部に設けられるとともに先端部に係合部を備えるアームと、該基部壁の外縁部に設けられる側壁とを有し、
前記第一ベースフレーム及び前記第二ベースフレームの少なくとも一方は、前記係合部に係合して前記目隠しカバーを保持する係合受け部と、前記目隠しカバーを保持した状態において前記側壁が嵌まる段差部とを有するヒンジ。
【請求項２】
前記第一ベースフレーム及び前記第二ベースフレームの少なくとも一方は、前記段差部の外側側面から突出する凸部を有し、
前記側壁は、前記凸部に対応する凹部を有するとともに、該側壁の内側側面が前記段差部の外側側面に対して当接する又は近接するように設けられる請求項１に記載のヒンジ。
【請求項３】
前記第一ベースフレーム及び前記第二ベースフレームの少なくとも一方は、前記段差部の外側側面から突出する凸部を有し、
前記側壁は、該側壁の内側側面が前記凸部の外側側面に対して当接する又は近接するように設けられる請求項１に記載のヒンジ。
【請求項４】
前記第一ベースフレーム及び前記第二ベースフレームの少なくとも一方は、前記扉及び前記枠の少なくとも一方に設けられた彫り込みに埋め込まれて取り付けられるものであり、
前記目隠しカバーは、前記側壁の外側側面が前記第一ベースフレーム及び前記第二ベースフレームの外側側面に揃うものである請求項２又は３に記載のヒンジ。
【発明の詳細な説明】
【技術分野】
【０００１】
本発明は、家具や建築物等の枠に対して扉を回転可能に支持するヒンジに関する。
【背景技術】
【０００２】
家具や建築物等に設けられる枠とこの枠に対して回転可能な扉との間に設けられるヒンジとして、従来、特許文献１の如きものが知られている。この種のヒンジは、図８に示すように、第一ベースフレーム１０１、第二ベースフレーム１０２、及び第一ベースフレーム１０１と第二ベースフレーム１０２とを回転可能に連結するヒンジ機構部１０３とを備えている。そして、例えば第一ベースフレーム１０１を扉に取り付けるとともに第二ベースフレーム１０２を枠に取り付けることによって、扉は枠に対して回転可能に支持される。ここで、第一ベースフレーム１０１や第二ベースフレーム１０２は、扉や枠に設けた彫り込みに埋め込まれ、ねじ穴１０４、１０５に不図示のねじを挿通させて締め込むことによって扉や枠に固定される。【０００３】
また一般にこの種のヒンジには、枠に対して扉の位置を微調整することができる機構が用いられている。図８のヒンジは、枠に対して扉の位置を左右、上下、前後方向に動かすことが可能な位置調整部１０６、１０７、１０８を備えている。位置調整部１０６、１０７、１０８には、扉の位置を調整する際に使用されるねじ１０９、１１０、１１１が設けられている。【０００４】
更にこの種のヒンジには、これらのねじを覆い隠して見栄え良くするものとして、第一ベースフレーム１０１や第二ベースフレーム１０２に装着される目隠しカバー１１２も設けられている。【０００５】
図８（ｂ）、（ｃ）に示すように目隠しカバー１１２は、第一ベースフレーム１０１等の表面に被さって上述したねじを覆い隠す板状の基部壁１１３と、基部壁１１３から突出するとともに先端部に爪状の係合部１１４を有するアーム１１５とを備えている。また第一ベースフレーム１０１と第二ベースフレーム１０２は、係合部１１４に対応する段状の係合受け部１１６を備えている。そして係合部１１４が係合受け部１１６に係合することで、目隠しカバー１１２は第一ベースフレーム１０１等に保持される。
【先行技術文献】
【特許文献】
【０００６】
【特許文献１】特許第６０５８１５７号公報
【発明の概要】
【発明が解決しようとする課題】
【０００７】
ところで、この種のヒンジを扉や枠に取り付ける前において、第一ベースフレーム１０１等に装着した目隠しカバー１１２に対して横方向（第一ベースフレーム１０１等の短手方向）から過大な力が加わると、アーム１１５が過剰に撓んで変形してしまうおそれがある。【０００８】
このような問題を解決するべく、本発明は、目隠しカバーに対して横方向から過大な力が加わってもアームの変形を防止することができるヒンジを提供することを目的とする。
【課題を解決するための手段】
【０００９】
本発明のヒンジは、扉及び枠の何れか一方に取り付け可能な第一ベースフレームと、前記扉及び前記枠の何れか他方に取り付け可能な第二ベースフレームと、前記第一ベースフレームと前記第二ベースフレームとを回転可能に連結するヒンジ機構部と、前記第一ベースフレーム及び前記第二ベースフレームの少なくとも一方に装着される目隠しカバーと、を備え、前記目隠しカバーは、前記第一ベースフレーム及び前記第二ベースフレームの少なくとも一方の表面に被さる基部壁と、該基部壁の外縁部に設けられるとともに先端部に係合部を備えるアームと、該基部壁の外縁部に設けられる側壁とを有し、前記第一ベースフレーム及び前記第二ベースフレームの少なくとも一方は、前記係合部に係合して前記目隠しカバーを保持する係合受け部と、前記目隠しカバーを保持した状態において前記側壁が嵌まる段差部とを有する。【００１０】
このようなヒンジにおいて、前記第一ベースフレーム及び前記第二ベースフレームの少なくとも一方は、前記段差部の外側側面から突出する凸部を有し、前記側壁は、前記凸部に対応する凹部を有するとともに、該側壁の内側側面が前記段差部の外側側面に対して当接する又は近接するように設けられることが好ましい。【００１１】
なお、本明細書等において「当接」するとは、２つの部位同士が当たって接している状態をいい、「近接」とは、２つの部位は当たってはいないが僅かな隙間を持って互いに近くに位置していることをいう。【００１２】
またこのようなヒンジにおいて、前記第一ベースフレーム及び前記第二ベースフレームの少なくとも一方は、前記段差部の外側側面から突出する凸部を有し、前記側壁は、該側壁の内側側面が前記凸部の外側側面に対して当接する又は近接するように設けられることが好ましい。【００１３】
またこのようなヒンジにおいて、前記第一ベースフレーム及び前記第二ベースフレームの少なくとも一方は、前記扉及び前記枠の少なくとも一方に設けられた彫り込みに埋め込まれて取り付けられるものであり、前記目隠しカバーは、前記側壁の外側側面が前記第一ベースフレーム及び前記第二ベースフレームの外側側面に揃うものであることが好ましい。
【発明の効果】
【００１４】
本発明のヒンジでは、目隠しカバーを第一ベースフレーム等に装着した際、目隠しカバーの側壁が第一ベースフレーム等の段差部に嵌まっているため、目隠しカバーに対して横方向から過大な力が加わっても、第一ベースフレーム等に対して目隠しカバーが大きく移動することがない。すなわちアームが過剰に撓むことがないため、アームの変形を防止することができる。
【図面の簡単な説明】
【００１５】
【図１】本発明に従うヒンジの一実施形態を示す斜視図である。
【図２】図１に示すヒンジに関し、図２（ａ）は正面図であり、図２（ｂ）は図２（ａ）のＡ−Ａ線に沿う断面図である。
【図３】図１に示すヒンジに関し、図３（ａ）は部分拡大斜視図であり、図３（ｂ）は目隠しカバーの裏面からの斜視図である。
【図４】図１に示すヒンジに関し、図４（ａ）は第一ベースフレームの部分拡大正面図であり、図４（ｂ）、（ｃ）、（ｄ）はそれぞれ、図４（ａ）のＢ−Ｂ線、Ｃ−Ｃ線、Ｄ−Ｄ線に沿う断面図である。
【図５】目隠しカバーの変形例であって、図５（ａ）は裏面からの斜視図であり、図５（ｂ）は背面図である。
【図６】図５の目隠しカバーを第一ベースフレームに装着した状態であって、図６（ａ）は部分拡大正面図であり、図６（ｂ）、（ｃ）、（ｄ）はそれぞれ、図６（ａ）のＥ−Ｅ線、Ｆ−Ｆ線、Ｇ−Ｇ線に沿う断面図である。
【図７】目隠しカバーの係合部、及び第一ベースフレーム等の係合受け部の変形例を示した部分拡大断面図である。
【図８】従来のヒンジに関し、図８（ａ）は斜視図であり、図８（ｂ）、（ｃ）はそれぞれ、図８（ａ）のＨ−Ｈ線、Ｉ−Ｉ線に沿う断面図である。
【発明を実施するための形態】
【００１６】
以下、図面を参照しながら本発明に従うヒンジの一実施形態について説明する。本実施形態のヒンジは、家具や建築物等の枠に対して扉を水平方向に開閉するのに使用されるものであって、扉を閉じた際には扉と枠の内部に隠れる、いわゆる隠し丁番である。なお、以下の説明における「上下方向」、「左右方向」、「前後方向」は、水平方向に開閉するように枠に取り付けた扉に対し、これを正面から見たときの「上下方向」（図１参照）、「左右方向」、「前後方向」（図２（ｂ）参照）である。
【００１７】
図１に示すように本実施形態のヒンジは、扉及び枠の何れか一方に取り付け可能な第一ベースフレーム１と、扉及び枠の何れか他方に取り付け可能な第二ベースフレーム２とを備えている。なお以下の説明においては、図２（ｂ）に示すように、第一ベースフレーム１は扉に取り付けられ、第二ベースフレーム２は枠に取り付けられるものとして説明する。第一ベースフレーム１と第二ベースフレーム２は、それぞれ４個のねじ穴１ａ、２ａを備えていて、扉や枠に設けた彫り込みに対して埋め込まれた状態で、不図示のねじをこれらのねじ穴１ａ、２ａに挿通させて締め込むことによって扉や枠に固定される。
【００１８】
またヒンジは、第一ベースフレーム１と第二ベースフレーム２とを回転可能に連結するヒンジ機構部３を備えている。本実施形態のヒンジ機構部３は、一般にリンクタイプと称されるものであって、基本的な構成は上述した特許文献１の図１３〜図１５に示したものと同一である。なお、ヒンジ機構部３の詳細な説明については後述する。
【００１９】
またヒンジは、第一ベースフレーム１に対して左右方向に移動可能であって、扉の位置を左右方向に調整することができる左右位置調整部４と、第二ベースフレーム２に対して上下方向に移動可能であって、扉の位置を上下方向に調整することができる上下位置調整部５を備えている。上下位置調整部５には、この上下位置調整部５に対して前後方向に移動可能であって、扉の位置を前後方向に調整することができる前後位置調整部６が設けられている。
【００２０】
左右位置調整部４は、調整ねじ４ａを備えている。この調整ねじ４ａは第一ベースフレーム１に螺合していて、調整ねじ４ａを回転させると、その回転方向に応じて左右位置調整部４が第一ベースフレーム１に対してせり上がったり、潜ったりするため、扉の位置を左右方向に調整することが可能である。また上下位置調整部５と前後位置調整部６は、それぞれ調整ねじ５ａ、６ａを備えている。この調整ねじ５ａ、６ａは、通常時は締め込まれることによって、第二ベースフレーム２に対して上下位置調整部５を固定し、上下位置調整部５に対して前後位置調整部６を固定しているが、これらを緩めると、扉の位置を左右方向、上下方向に調整することが可能である。
【００２１】
ここで、ヒンジ機構部３について図２を参照しながら詳細に説明する。ヒンジ機構部３は、左右位置調整部４、前後位置調整部６に加え、第一アーム７、第二アーム８、第一リンク９、第二リンク１０、及び合計７本の軸１１〜１７で構成されていて、７本の軸１１〜１７によって左右位置調整部４等は、全て回り対偶で連結されている。具体的には、左右位置調整部４に対して第一リンク９の基端部が軸１１によって連結し、前後位置調整部６に対して第二リンク１０の基端部が軸１２によって連結している。また、前後位置調整部６に対して第一アーム７の基端部が軸１３によって連結し、左右位置調整部４に対して第二アーム８の基端部が軸１４によって連結している。そして、第一アーム７と第二アーム８の中間部が軸１５によって連結している。更に、第一アーム７の先端部と第一リンク９の先端部が軸１６によって連結し、第二アーム８の先端部と第二リンク１０の先端部が軸１７によって連結している。このようなヒンジ機構部３によって、図２（ｂ）に示すように第一ベースフレーム１が取り付けられた扉は、第二ベースフレーム２を取り付けた枠に対して１８０°回転することができる。
【００２２】
またヒンジは、図１に示すように、第一ベースフレーム１及び第二ベースフレーム２の少なくとも一方に装着される目隠しカバー１８を備えている。本実施形態の目隠しカバー１８は、第一ベースフレーム１の上端部及び下端部、並びに第二ベースフレーム２の上端部及び下端部の４箇所に対して個別に装着されるように構成されていて、ねじ穴１ａ、２ａに取り付けられる不図示のねじや、調整ねじ４ａ、５ａ、６ａを覆い隠すことができる。なお本実施形態の目隠しカバー１８は、合成樹脂製である。
【００２３】
ここで、目隠しカバー１８の具体的な構成について図１、図３（ｂ）を参照しながら説明する。目隠しカバー１８は、第一ベースフレーム１の上端部等の表面に被さってねじ穴１ａ等を覆い隠す基部壁１８ａを備えている。本実施形態の基部壁１８ａは、第一ベースフレーム１の上端部等の形状に合わせて形作られていて、概略矩形状であって一方の短手辺の両角部が円弧状になる形状をなしている。また基部壁１８ａの裏面外縁部には、概略、他方の短手辺を除いて基部壁１８ａの外縁部に沿って連続的に設けられるコ字状の側壁１８ｂが設けられている。本実施形態の側壁１８ｂは、図４（ｃ）、（ｄ）に示すように、外側側面が第一ベースフレーム１の外側側面に揃うように（側壁１８ｂの外側側面と第一ベースフレーム１の外側側面が略面一になるように）設けられている。また側壁１８ｂは、連続的に設けられるものに限られず、途中で分断して間欠的に設けられるものでもよい。基部壁１８ａの外縁部には、アーム１８ｃが設けられていて、アーム１８ｃの先端部には、本実施形態では爪状に形作られた係合部１８ｄが設けられている。本実施形態のアーム１８ｃは、側壁１８ｂにも一体に連結しているが、側壁１８ｂとは分離していてもよい。なおアーム１８ｃは、側壁１８ｂの長手辺側に一対設けられている。また側壁１８ｂの内側側面には、凹部１８ｅが設けられている。凹部１８ｅは、後述する第一ベースフレーム１の凸部に対応して設けられるものであって、本実施形態では合計５個（基部壁１８ａの長手辺側に各２個、短手辺側に１個）設けられている。
【００２４】
このような目隠しカバー１８に対して第一ベースフレーム１と第二ベースフレーム２は、図３（ａ）、図４に示す構成によって目隠しカバー１８を保持することができる。具体的には、第一ベースフレーム１の上端部及び下端部、並びに第二ベースフレーム２の上端部及び下端部には、係合部１８ｄに係合して目隠しカバー１８を保持する段状の係合受け部１ｂ、２ｂが設けられている。係合受け部１ｂ、２ｂは、第一ベースフレーム１及び第二ベースフレーム２の外側側壁を内側に凹ませるように形成した溝部に設けられている。なお、係合受け部１ｂ、２ｂが設けられている溝部の深さ及び幅は、アーム１８ｃの厚み及び幅以上に大きくなっていて、目隠しカバー１８を装着した際には、アーム１８ｃがこの溝部に収まって、第一ベースフレーム１等の外側側壁から突出しないようにしている。また第一ベースフレーム１の上端部及び下端部、並びに第二ベースフレーム２の上端部及び下端部において、それらの外縁部には、段差部１ｃ、２ｃが設けられている。段差部１ｃ、２ｃは、目隠しカバー１８を保持した際に側壁１８ｂを嵌めることができる。なお本実施形態においては、上述した係合受け部１ｂ、２ｂが設けられている溝部の深さと段差部１ｃ、２ｃの深さが同一になっている（係合受け部１ｂ、２ｂが設けられている溝部によって、段差部１ｃ、２ｃが分断されるように形成されている）が、この溝部の深さと段差部１ｃ、２ｃの深さは相違していてもよい。このような第一ベースフレーム１等に目隠しカバー１８を装着した際、図４（ｃ）に示すように側壁１８ｂの内側側面は、段差部１ｃの外側側面に対して当接する又は近接する状態にある。更に段差部１ｃ、２ｃは、段差部１ｃ、２ｃの外側側面から突出する凸部１ｄ、２ｄを備えている。本実施形態の凸部１ｄ、２ｄは、第一ベースフレーム１と第二ベースフレーム２の長手辺側に各２個、短手辺側に１個（合計５個）設けられている。また本実施形態の凸部１ｄ、２ｄは、図４（ｄ）に示すように、凸部１ｄ、２ｄの外側側面と凹部１８ｅの内側側面との間に僅かな隙間をもって近接するものであるが、両者は当接していてもよい。
【００２５】
このような構成になるヒンジによれば、目隠しカバー１８に対して横方向から過大な力が加わっても、目隠しカバー１８における側壁１８ｂの内側側面が、第一ベースフレーム１等における段差部１ｃ、２ｃの外側側面に対して当接するため、第一ベースフレーム１等に対して目隠しカバー１８が大きく移動することがない。すなわち、目隠しカバー１８のアーム１８ｃが過剰に撓むことがないため、アーム１８ｃの変形を防止することができる。
【００２６】
ところで本実施形態の第一ベースフレーム１と第二ベースフレーム２は、上述した目隠しカバー１８に限られず、図５、図６に示す目隠しカバー１９を装着することも可能である。本実施形態の目隠しカバー１９は、金属製の薄板によって形成されている。また目隠しカバー１９は、概略矩形状であって一方の短手辺の両角部が円弧状になる形状をなす基部壁１９ａと、基本的に他方の短手辺を除いて基部壁１９ａの外縁部に沿って設けられるコ字状の側壁１９ｂと、側壁１９ｂから突出する一対のアーム１９ｃとを備えている。なお側壁１９ｂは、図６（ｃ）、（ｄ）に示すように、外側側面が第一ベースフレーム１の外側側面に揃うように（側壁１９ｂの外側側面と第一ベースフレーム１の外側側面が略面一になるように）設けられている。また側壁１９ｂは、側壁１８ｂと同様に、連続的に設けられるものに限られず、途中で分断して間欠状に設けられるものでもよい。アーム１９ｃは、対向する他方のアーム１９ｃに近づくように内側に曲げられていて（図６（ｂ）参照）、アーム１９ｃの先端部には、第一ベースフレーム１等の係合受け部１ｂ、２ｂに係合する係合部１９ｄが設けられている。本実施形態の係合部１９ｄは、半球状に突出するように形作られている。また側壁１９ｂは、上述した側壁１８ｂよりも厚みが薄くなっている。
【００２７】
このような目隠しカバー１９を第一ベースフレーム１に装着した際、図６（ｃ）に示すように、側壁１９ｂの内側側面は、段差部１ｃの外側側面に対しては比較的大きな隙間を持って位置しているが、図６（ｄ）に示すように、凸部１ｄの外側側面に対しては当接する又は近接する状態にある。このため、第一ベースフレーム１等に装着した目隠しカバー１９に対して横方向から過大な力が加わっても、側壁１９ｂの内側側面が、段差部１ｃ、２ｃの外側側面に対して当接するため、第一ベースフレーム１等に対して目隠しカバー１９が大きく移動することがない。従って目隠しカバー１９を使用する場合でもアーム１９ｃの変形を防止することができる。
【００２８】
このように本実施形態のヒンジによれば、第一ベースフレーム１及び第二ベースフレーム２は同一であっても、合成樹脂製の目隠しカバー１８及び金属製の目隠しカバー１９の何れをも装着することが可能であるため、使用者の要望や使用目的に応じて最適な目隠しカバーを使用することができる。また、目隠しカバー１８、１９は何れも、基部壁１８ａ、１９ａが第一ベースフレーム１の上端部等の形状に合わせて形作られているとともに、側壁１８ｂ、１９ｂの外側側面が第一ベースフレーム１等の外側側面に揃うように設けられている。このため、第一ベースフレーム１等を扉や枠の彫り込みに埋め込んで取り付ける際、何れの目隠しカバー１８、１９を使用する場合でも彫り込みと目隠しカバー１８、１９との隙間は変わらないため、彫り込みの大きさを極力小さくして、目隠しカバー１８、１９と彫り込みとの隙間を狭めることによって、高い意匠性を得ることができる。
【００２９】
以上、本発明について具体的な実施形態を示しながら説明したが、本発明に従うヒンジは上述した実施形態に限られるものではなく、特許請求の範囲に従う範疇で種々の変更を加えたものも含まれる。例えばヒンジ機構部３は、上述したリンクタイプのものに限られず、特許文献１の図１等に示されたスライドタイプなど、他の構成となるものでもよい。また本実施形態においては、左右位置調整部４、上下位置調整部５、及び前後位置調整部６を備えているが、これらを省略してもよい。また係合部及び係合受け部も種々の構成が採用可能であって、例えば図７に示すように、目隠しカバー１８のアーム１８ｃに設けた貫通孔を係合部１８ｄ’とし、第一ベースフレーム１の外側側壁に設けた爪状の突起を係合受け部１ｄ’としてもよい。また図７において、係合部１８ｄ’は、アーム１８ｃの内側側面に設けた凹部でもよい。
【符号の説明】
【００３０】
１：第一ベースフレーム
１ｂ：係合受け部
１ｃ：段差部
１ｄ：凸部
２：第二ベースフレーム
２ｂ：係合受け部
２ｃ：段差部
２ｄ：凸部
３：ヒンジ機構部
１８：目隠しカバー
１８ａ：基部壁
１８ｂ：側壁
１８ｃ：アーム
１８ｄ：係合部
１８ｅ：凹部
１９：目隠しカバー
１９ａ：基部壁
１９ｂ：側壁
１９ｃ：アーム
１９ｄ：係合部
【図１】
2019163342.tif 000003
【図２】
2019163342.tif 000004
【図３】
2019163342.tif 000005
【図４】
2019163342.tif 000006
【図５】
2019163342.tif 000007
【図６】
2019163342.tif 000008
【図７】
2019163342.tif 000009
【図８】
2019163342.tif 000010
【国際調査報告】
2019163342.tif 000011
2019163342.tif 000012
2019163342.tif 000013
2019163342.tif 000014